(57)【要約】【課題】  砲弾型のＬＥＤランプを配備する光源設置区画とＬＥＤランプから出た光を透過させる発光表示面とを有する造形体を備えた発光表示装置において、発光表示面の幅をＬＥＤランプとの対向箇所でそのＬＥＤランプよりも狭めることを可能にして、細い線などを明るく発光表示させる。【解決手段】  砲弾型のＬＥＤランプ１を配備する光源設置区画２１と発光表示面３１とを有する樹脂製の造形体２を備える。造形体２の外周側面を傾斜させることにより、発光表示面３１の幅Ｌ１をＬＥＤランプ１の幅（直径）Ｌよりも狭める。複数の造形体を連設して造形体群を形成することも可能である。【選択図】        図２
2007233085.tif 000002
【特許請求の範囲】
【請求項１】
光源としての砲弾型のＬＥＤランプが配備される光源設置区画とこの光源設置区画に配備された上記光源から出た光を透過させる発光表示面とを有する樹脂製造形体を備え、この造形体の発光表示面の一部領域又は全領域の幅が、その造形体の外周側面を上記光源設置区画と上記発光表示面との間で傾斜させることによって光源設置区画の幅よりも狭くなされていることを特徴とする発光表示装置。
【請求項２】
上記発光表示面の一部領域又は全領域の幅を上記光源設置区画に配備された上記ＬＥＤランプの幅よりも狭めてある請求項１に記載した発光表示装置。
【請求項３】
複数の上記造形体のそれぞれの光源設置区画同士が連設されて互いに分離された複数の発光表示面を有する造形体群が形作られ、この造形体群に属する複数の上記造形体のそれぞれの光源設置区画に配備されている上記ＬＥＤランプが、単一の給電部を有する電気回路に接続されている請求項１又は請求項２に記載した発光表示装置。
【発明の詳細な説明】
【技術分野】
【０００１】
本発明は、発光表示装置、特に、ＬＥＤランプを光源として樹脂製の造形体の外面に形成された発光表示面を発光させるように構成されている発光表示装置に関する。
【背景技術】
【０００２】
従来、光拡散性を有する合成樹脂体に埋め込んだＬＥＤランプから出る光でその合成樹脂体の表面を発光させるようにした面発光装置の研究が行われていた（たとえば、特許文献１参照）。
【０００３】
一方、光拡散性に優れた樹脂をレーザカットにより切り出して一定の形状に形作った造形体の外面に発光表示面を形成し、その発光表示面を、光源としての砲弾型のＬＥＤランプから出た光で発光させるようにした発光表示装置も従来より知られていた。この発光表示装置の一例を図８又は図９を参照して説明する。
【０００４】
図８は従来の発光表示装置の正面図、図９は同発光表示装置の一部破断側面図である。図８及び図９に示したものは、単文字「ｉ」を、円形の発光表示面１１０を有する１つの造形体１００と縦長の発光表示面２１０を有する他の１つの造形体２００とを組み合わせることにより構成された発光表示装置の事例である。
【０００５】
この発光表示装置において、２つの造形体１００，２００はそれぞれ分離していて、それぞれの造形体１００，２００に対して個別に必要数のＬＥＤランプ１が配備されており、それぞれの造形体１００，２００に配備されているＬＥＤランプ１には、個別の給電部を有する電気回路を経て電力が供給されるようになっている。
【０００６】
また、２つの造形体１００，２００のそれぞれにおいて、板片状樹脂素材からの切出し面に相当する外周側面１２０，２２０が発光表示面１１０，２１０に対して直交する面として形成されている。そして、一方側の造形体１００については、光源としてのＬＥＤランプ１が配備されている光源設置区画１０１をその厚さ方向根元部分に形成していることと併せて、ＬＥＤランプ１の鍔形座部１２やリード線１３を収容させることのできるスペース１０３を、光源設置区画１０１のほゞ全体に亘って形成している。他方側の造形体２００についても同様に、ＬＥＤランプ１が配備されている光源設置区画２０１がその厚さ方向根元部分に形成されていることと併せて、ＬＥＤランプ１の鍔形座部１２やリード線１３を収容させることのできるスペース２０３を、光源設置区画２０１のほゞ全体に亘って形成している。そして、上記したように、それぞれのＬＥＤランプ１，１のリード線１３，１３が個別の給電部を有する電気回路に接続されている。
【０００７】
この事例の発光表示装置において、一般的には１つの造形体に具備させるＬＥＤランプの数は１つであるとは限らない。特に、大きな面積の発光表示面の全体を一様な明るさで発光させることが要求される場合には、１つの造形体に２つ又はそれより多い数のＬＥＤランプをその発光表示面の大きさに合わせて所定の間隔を隔てて具備させることが必要になる。このような要求に応えることなどを意図して、従来の発光表示装置に採用されている上記の造形体１００，２００では、上記スペース１０３，２０３を、それぞれの光源設置区画１０１，２０１のほゞ全体に亘って形成していたとも云える。
【０００８】
ところが、上記の造形体１００，２００のように、光源設置区画１０１，２０１のほゞ全体に亘ってスペース１０３，２０３が形成されていて、しかも、上記のように板片状樹脂素材からの切出し面に相当する外周側面１２０，２２０が発光表示面１１０，２１０に対して直交する面として形成されていると、ＬＥＤランプ１を設置することのできる幅を有するスペース１０３，２０３に対応する箇所では、図８に示した発光表示面１１０，２１０の幅（最小幅）Ｌ１，Ｌ２を、砲弾型のＬＥＤランプ１の幅（直径）よりも広くしておくことが不可欠であり、その箇所で発光表示面１１０，２１０の幅Ｌ１，Ｌ２をＬＥＤランプ１の幅（直径）Ｌよりも狭くすると、スペース１０３，２０３にＬＥＤランプ１を配備することのできる広さを確保することができなくなってしまう。
【０００９】
このため、従来の発光表示装置において、たとえば造形体２００の横向き張出部２０５，２０６，２０７のような幅狭部分では、その発光表示面２１０の背部にＬＥＤランプ１を配備することができず、その幅狭部分の発光表示面２１０での発光は、他の箇所に配備されたＬＥＤランプ１からの洩光を利用することを余儀なくされることがあった。
【００１０】
また、一方側の造形体１００についてのＬＥＤランプ１と、他方側の造形体２００についてのＬＥＤランプ１とを、それぞれ個別の給電部を有する電気回路に接続していたために、電気配線が複雑になるという問題があった。この点を図１０及び図１１を参照して具体的に説明する。
【００１１】
図１０は「ＡＢＣ」という１つの文字列を単文字である「Ａ」「Ｂ」「Ｃ」を象った造形体の配列によって構成した場合の正面図、図１１はその線処理を示した背面図である。
【００１２】
図１０及び図１１で判るように、個々の単文字「Ａ」「Ｂ」「Ｃ」を現している造形体には、個別に複数のＬＥＤランプ１が配備されていて、個々の造形体ごとにそれらのＬＥＤランプ１に給電部１Ａが備わっている。そして、それぞれの造形体の発光表示面をＬＥＤランプ１の光で発光させるためには、個々の造形体から個別に給電部１Ａを引き出して多口コンセントなどに接続することが必要である。この場合、個々の造形体ごとに設けられているＬＥＤランプ１を電気的に接続して１個の給電部に接続するということも考えられるが、そのようにすると、隣接する造形体の相互間で接続配線が露出して見苦しくなる。
【００１３】
【特許文献１】特開２００５−１２３３５７号公報
【発明の開示】
【発明が解決しようとする課題】
【００１４】
上記したことから判るように、従来の発光表示装置では、ＬＥＤランプ１の光によって明るく発光する箇所、すなわちＬＥＤランプ１との対向箇所に位置する発光表示面１１０，２１０は、ＬＥＤランプ１の幅（直径）Ｌよりも広い幅Ｌ１，Ｌ２を有することが不可欠になるので、明るく発光させたい発光表示面１１０，２１０を狭く形成することに制限があった。とりわけＬＥＤランプ１の幅（直径）Ｌよりも狭くすることは不可能であった。この点を具体的に説明すると、従来の発光表示装置では、汎用的なＬＥＤランプ１の幅（直径）Ｌが５ｍｍ又は３ｍｍ程度であることから、造形体１００，２００の発光表示面１１０，２１０は、ＬＥＤランプ１との対向箇所での幅Ｌ１，Ｌ２を８．５ｍｍより狭くすることができなかった。このため、たとえば、線幅に広狭が存在する所定書体の文字などを、一様な明るさで発光する発光表示面によって表現させたい場合、その文字などを形作る造形体のサイズを小さくすることが制限されてしまうという問題があった。
【００１５】
また、従来の発光表示装置では、単文字の構成要素が点と線などのように互いに分離された要素である場合、言い換えると、単文字「ｉ」のように円形と縦長線とによって１つの文字が形作られるような場合、それぞれの要素に対応する造形体１００，２００を別個独立したものとして製作し、製作後にそれらを組み合わせて配列するという面倒な取付工程が必要になるという問題があった。
【００１６】
さらに、従来は、図１０及び図１１を参照して説明したように、個別に複数のＬＥＤランプが配備されている個々の造形体ごとに給電部を具備させることが必要であるために、電気配線が複雑になって線処理がきわめて煩雑になるという問題もあった。
【００１７】
これらと同様の問題は、複数の文字や図柄が並べられた文字列や図柄などを有する発光表示装置についても存在する。
【００１８】
これらの問題点に関し、上掲の特許文献１によって提案されている技術は、図８や図９を参照して説明した従来例の域を脱するものではない。
【００１９】
本発明は以上の問題点に鑑みてなされたものであり、光源としてのＬＥＤランプの対向箇所で発光表示面の幅を狭めることの制約がほとんどなくなり、とりわけ、発光表示面の当該箇所の幅をＬＥＤランプの幅（直径）よりも狭くすることが容易に可能になるような対策を講じることによって、文字や図柄を形作る造形体の小サイズ化が困難であるという従来の問題を克服することのできる発光表示装置を提供することを目的とする。
【００２０】
また、本発明は、単文字の構成要素や文字列などを１ユニットの一体化された造形体の発光表示面によって形成することのできる対策を講じることによって、当該発光表示装置の取付工程を簡素化することができると共に、複数の発光表示面に対して個別にＬＥＤランプを配備した場合でも、その配線処理の簡略化を図りやすくなる発光表示装置を提供することを目的とする。
【課題を解決するための手段】
【００２１】
本発明に係る発光表示装置は、光源としての砲弾型のＬＥＤランプが配備される光源設置区画とこの光源設置区画に配備された上記光源から出た光を透過させる発光表示面とを有する樹脂製造形体を備え、この造形体の発光表示面の一部領域又は全領域の幅が、その造形体の外周側面を上記光源設置区画と上記発光表示面との間で傾斜させることによって光源設置区画の幅よりも狭くなされている。
【００２２】
この発明によると、造形体の光源設置区画の幅をＬＥＤランプを配備するのに十分な広さに確保したまま、発光表示面のＬＥＤランプとの対向箇所の幅が光源設置区画の幅よりも狭められる。そのため、発光表示面をその幅狭箇所で明るく発光させることが可能になり、線幅に広狭が存在する所定書体の文字などを一様な明るさで発光する発光表示面によって表現することが可能になる。したがって、発光表示面を形作る造形体のサイズを小さくすることの制限もなくなる。
【００２３】
本発明では、上記発光表示面の一部領域又は全領域の幅を上記光源設置区画に配備された上記ＬＥＤランプの幅よりも狭めてある、という構成を採用することができ、この構成を採用することによって、線幅に広狭が存在する所定書体の文字などを一様な明るさで発光する発光表示面によって表現する場合の自由度が増大する。
【００２４】
本発明に係る発光表示装置は、複数の上記造形体のそれぞれの光源設置区画同士が連設されて互いに分離された複数の発光表示面を有する造形体群が形作られ、この造形体群に属する複数の上記造形体のそれぞれの光源設置区画に配備されている上記ＬＥＤランプが、単一の給電部を有する電気回路に接続されている、というものであってもよい。この発明によると、個々の造形体に配備されているＬＥＤランプに個別に給電部を設ける必要がなくなるので、ＬＥＤランプに対する線処理が簡略化されることになる。
【発明の効果】
【００２５】
本発明によれば、光源としてのＬＥＤランプの対向箇所で発光表示面の幅を狭めることの制約がほとんどなくなり、とりわけ、発光表示面の当該箇所の幅をＬＥＤランプの幅よりも狭くすることが容易に可能になるので、文字や図柄を形作る造形体の小サイズ化が困難であるという従来の問題を克服することが可能になる。そのため、細い線や太い線が連続するような筆記書体のほか、小さな点や記号などを発光表示面で明るく表示させることが可能になる。
【００２６】
また、単文字の構成要素や文字列などを１ユニットの一体化された造形体の発光表示面によって形成することが可能になるので、当該発光表示装置の取付工程が簡素化される。その上、造形体群に属する個々の造形体のＬＥＤランプを、単一の給電部を有する電気回路に接続するようにしても、配線が露出して見苦しくなるということがないので、ＬＥＤランプのための線処理が簡略化されるという卓越した効果が奏される。
【発明を実施するための最良の形態】
【００２７】
図１は本発明の実施形態に係る発光表示装置の正面図、図２は同装置の縦断側面図、図３は他の実施形態に係る同装置の正面図である。図４は造形体群６の正面図、図５は図４のＶ−Ｖ線に沿う断面図である。
、図６はさらに他の実施形態に係る発光表示装置の縦断側面図である。
【００２８】
図１及び図２において、２は透光性や光拡散性に優れた樹脂でなる造形体であり、光源としての砲弾型のＬＥＤランプ１が配備されている光源設置区画２１をその厚さ方向根元部分に有していることと併せて、ＬＥＤランプ１の鍔形座部１２やリード線１３を収容させることのできるスペース２２を光源設置区画２１のほゞ全体に亘って形成している。また、スペース２２に配備されたＬＥＤランプ１に対向する発光表示面３１と光源設置区画２１との間では、当該造形体２の外周側面２４が傾斜していることによって、発光表示面３１の全領域の幅Ｌ１が、光源設置区画２１の幅Ｌ２よりも狭くなっている。この実施形態では、特に、発光表示面３１の全領域の幅（直径）Ｌ１がＬＥＤランプ１の幅（直径）Ｌよりもさらに狭くなっている。図１及び図２に示した造形体２では、発光表示面３１を円形に形成して外周側面２４を先窄まりに傾斜させてある。
【００２９】
この実施形態では、造形体２の光源設置区画２１の幅Ｌ２をＬＥＤランプ１を配備するのに十分な広さに確保してあるにもかかわらず、外周側面２４を傾斜させることによって発光表示面３１の幅Ｌ１を光源設置区画２１の幅よりも狭めてあるため、発光表示面３１が小さな形状に無理なく形成されている。特に、発光表示面３１の幅Ｌ１をＬＥＤランプ１の幅（直径）Ｌよりも狭めてあるために、円形の発光表示面３１が非常に小さくなっている。加えて、造形体２の傾斜した外周側面２４が先窄まりのテーパ面に形成されていることにより、その外周側面２４が、ＬＥＤランプ１から出た光を反射して発光表示面３１に向けて集光させるという作用を発揮することになり、発光表示面３１を透過する光量が多くなってその発光表示面３１が明るく発光する。
【００３０】
図３の事例では、透光性と光拡散性に優れた樹脂でなる造形体２を縦長に形成し、光源としてのＬＥＤランプ１が配備されている光源設置区画２１をその厚さ方向根元部分に形成してあることと併せて、ＬＥＤランプ１の鍔形座部１２やリード線（不図示）を収容させることのできるスペース（不図示）を光源設置区画２１のほゞ全体に亘って形成してある。また、上記スペースに配備されたＬＥＤランプ１に対向する発光表示面３１も縦長に形成し、その発光表示面３１と光源設置区画２１との間では、当該造形体２の外周側面２４を傾斜させることによって、発光表示面３１の全長部分でその幅Ｌ１を、光源設置区画２１の幅Ｌ２よりも狭く定めてある。この実施形態では、特に、発光表示面３１の全長部分でその幅Ｌ１をＬＥＤランプ１の幅（直径）Ｌよりもさらに狭く定めてある。
【００３１】
この事例においても、造形体２の光源設置区画２１の幅Ｌ２がＬＥＤランプ１を配備するのに十分な広さに確保されているにもかかわらず、外周側面２４を傾斜させることによって、縦長発光表示面３１の全長部分でその幅Ｌ１を光源設置区画２１の幅よりも狭めてあるため、発光表示面３１が幅狭の線状に無理なく形成されている。特に、発光表示面３１の幅Ｌ１をＬＥＤランプ１の幅（直径）Ｌよりも狭めてあるために、縦長の発光表示面３１の幅が非常に狭くなっている。加えて、造形体２の傾斜した外周側面２４が、ＬＥＤランプ１から出た光を反射して発光表示面３１に向けて集光させるという作用を発揮することになり、発光表示面３１を透過する単位面積当たりの光量が多くなってその発光表示面３１が明るく発光する。
【００３２】
図１及び図２を参照して説明した事例と、図３を参照して説明した事例とは、いずれも、単一の造形体２を有する発光表示装置を構成している。そして、図１及び図２の事例では、発光表示面３１の幅Ｌ１がその全領域でＬＥＤランプ１の幅（直径）Ｌよりも狭くなっている。これに対し、図３の事例では、発光表示面３１の幅Ｌ１が、その長さ方向の全領域でＬＥＤランプ１の幅Ｌよりも狭くなっている。この点に関し、たとえば、図２及び図３に示した発光表示面３１の幅Ｌ１を、その長さ方向の一部（たとえば中央部や端部）だけでＬＥＤランプ１の幅（直径）Ｌよりも狭く定め、他の部分では、ＬＥＤランプ１の幅（直径）Ｌよりも広く定めるということも可能であり、そのような構成を採用すると、長手方向の各部で幅の異なる流線形の発光表示面３１を形成することが可能になる。
【００３３】
以上説明した２つの事例では、発光表示面３１の幅Ｌ１がＬＥＤランプ１の幅（直径）Ｌよりも狭く形成されているものではあるけれども、光源設置区画２１の幅Ｌ２はＬＥＤランプ１を設置するのに十分な広さを有している。そのため、図示例のようにＬＥＤランプ１をスペース２２に１つだけ配備する場合であっても、２つ以上の複数個配備する場合（不図示）であっても、ＬＥＤランプ１をスペース２２の任意の位置に配備して発光表示面３１を一様に明るく発光させることが可能である。
【００３４】
図４及び図５に示したものは、単文字「ｉ」を、円形の発光表示面４１を有する１つの造形体４と縦長の発光表示面５１を有する他の１つの造形体５とを組み合わせることにより構成された造形体群６によって形作った実施形態を示している。一方の造形体４は、図１及び図２を参照して説明した造形体２に準じた形状ないし構成を有し、他方の造形体５は、図３を参照して説明した造形体２に準じた形状ないし構成を有している。したがって、２つの造形体４，５にはそれぞれ光源設置区画４２，５２が備わっていると共に、上記した円形の発光表示面４１や縦長の発光表示面５１が備わっていて、発光表示面４１，５１の幅（図１又は図３に示したＬ１に相当）が、各造形体４，５の外周側面４３，５３を光源設置区画４２，５２と発光表示面４１，５１との間で傾斜させることによって光源設置区画４２，５２やＬＥＤランプの幅よりも狭くなっている。また、一方の造形体４と他方の造形体５とは、それぞれの光源設置区画４２，５２同士を連設させることにより一体化されていると共に、文字としてのデザインを崩すことなく識別することができるようになっている。
【００３５】
この実施形態によると、従来では２つの造形体１００，２００を配列して表現することが必要であった（図８及び図９参照）単文字「ｉ」が、１つの造形体群６に具備された２つの発光表示面４１，５１によって表現されるようになる。そのため、造形体４，５を１つずつ別個独立して製作する手間がかからなくなるだけでなく、別個独立の造形体４，５を単文字「ｉ」の形に配列するという取付けの手間もかからなくなる。
【００３６】
次に、図６及び図７を参照して複数の造形体６１，６２，６３をユニット化した１つの造形体群６において、ＬＥＤランプ１に給電するための配線の線処理を簡略化する対策を講じた事例を説明する。
【００３７】
図６は造形体群６の正面図、図７は造形体群６の背面図である。図６及び図７に示した造形体群６は、個々の単文字「Ａ」「Ｂ」「Ｃ」を現している３つの造形体６１，６２，６３の光源設置区画同士を連設することによって一体にユニット化されていると共に、個々の造形体６１，６２，６３ごとに所要数のＬＥＤランプ１が配備されている。そして、個々の造形体６１，６２，６３ごとに配備されているＬＥＤランプ１が図示していない電気回路によって直列に接続され、その電気回路に単一の給電部１Ａが設けられている。そして、この給電部１Ａをコンセントなどの電源に接続することによって、個々の造形体６１，６２，６３ごとに配備されているＬＥＤランプ１のすべてが点灯するようになっている。この構成であると、個々の造形体６１，６２，６３に配備されているＬＥＤランプ１に個別に給電部を設ける必要がなくなって線処理が簡略化される。また、ＬＥＤランプ１に対する線処理も簡略化され、しかも、個々の造形体６１，６２，６３の相互間で配線が露出することもない。
【図面の簡単な説明】
【００３８】
【図１】本発明の実施形態に係る発光表示装置の正面図である。
【図２】同装置の縦断側面図である。
【図３】他の実施形態に係る同装置の正面図である。
【図４】造形体群の正面図である。
【図５】図４のＶ−Ｖ線に沿う断面図である。
【図６】ＬＥＤランプの線処理を説明するために例示した造形体群の正面図である。
【図７】ＬＥＤランプの線処理を説明するために例示した造形体群の背面図である。
【図８】従来の発光表示装置の正面図である。
【図９】同発光表示装置の一部破断側面図である。
【図１０】従来の線処理を説明するために示した発光表示装置の正面図である。
【図１１】図１０の発光表示装置の線処理を示した背面図である。
【符号の説明】
【００３９】
１  ＬＥＤランプ
１Ａ  給電部
２，４，５  造形体
６  造形体群
２１，４２，５２  光源設置区画
２４，４３，５３  造形体の外周側面
３１，４１，５１  発光表示面
【図１】
2007233085.tif 000003
【図２】
2007233085.tif 000004
【図３】
2007233085.tif 000005
【図４】
2007233085.tif 000006
【図５】
2007233085.tif 000007
【図６】
2007233085.tif 000008
【図７】
2007233085.tif 000009
【図８】
2007233085.tif 000010
【図９】
2007233085.tif 000011
【図１０】
2007233085.tif 000012
【図１１】
2007233085.tif 000013